(57)【特許請求の範囲】
【請求項１】
仕切りボードを有する台間サンドに取り付けられる携帯機器用ホルダであって、
前記台間サンドに固定される固定部と、
前記固定部に対して揺動可能に軸支され、前記固定部が前記台間サンドに固定された状態において、前記台間サンドの表面に平行な軸であって前記仕切りボードの表面に対して垂直な軸周りに回転可能になるアームと、
前記アームの先端にボールジョイントを介して取り付けられ、携帯機器を保持する保持部と、を備え、
前記アームが前記保持部の近傍に設けられる屈曲部を有し、
前記屈曲部の当接によって前記ボールジョイントの回動が規制され、
前記固定部が前記台間サンドに固定された状態において、前記屈曲部が前記仕切りボード側に凸となり前記仕切りボードと反対側に凹となるように屈曲されていることを特徴とする携帯機器用ホルダ。
【請求項２】
前記固定部が前記台間サンドに固定された状態において、前記アームが、前記屈曲部によって、前記仕切りボードに隣接して前記台間サンドに載置される載置物との干渉が回避されるように、配置されることを特徴とする請求項１に記載の携帯機器用ホルダ。
【請求項３】
前記固定部が前記台間サンドに固定された状態において、前記アームが、その先端側に向かうにつれ下方に屈曲されていることを特徴とする請求項１から請求項２のいずれか１項に記載の携帯機器用ホルダ。
【発明の詳細な説明】
【技術分野】
【０００１】
本発明は携帯機器用ホルダに関し、特に、支持台に取り付けられる携帯機器用ホルダに関する。
【背景技術】
【０００２】
このような携帯機器用ホルダとしては、たとえば下記特許文献１に開示されているように、水平面に載置されるベース部と、このベース部に第１接続部材を介して接続されるアーム部と、このアーム部と第２接続部材を介して接続される保持部とから構成されている。そして、第１接続部材は、アームを垂直面内で揺動できるとともに水平面内で回転できるように構成され、第２接続部材は、保持部を垂直面内で揺動できるとともにアームに対して回転できるように構成されている。
【０００３】
このような携帯機器用ホルダは、その保持部がベース部に対して自由な位置、方向に変化させることができるが、比較的広いスペースを要する場所にしか設置できないという不都合を有する。そして、第１接続部材及び第２接続部材は、上述した機能を有することから、複雑な構成となってしまうことを免れない。また、上記の携帯機器用ホルダを比較的狭いスペース内で用いることもできないこともないが、隣接する他の部材との干渉を回避することが困難となる。
【先行技術文献】
【特許文献】
【０００４】
【特許文献１】特開２０１３−２５６２４０号公報
【発明の概要】
【発明が解決しようとする課題】
【０００５】
本発明は、このような事情に鑑みてなされたものであり、その目的は、簡単な構成にも拘わらず、狭いスペース内に隣接部材と干渉することなく配置でき、観察者に対して広い角度範囲で方向を変化できる携帯機器用ホルダを提供することにある。
【課題を解決するための手段】
【０００６】
本発明は、以下の構成によって把握される。
（１）本発明の携帯機器用ホルダは、仕切りボードを有する台間サンドに取り付けられる携帯機器用ホルダであって、前記台間サンドに固定される固定部と、前記固定部に対して揺動可能に軸支されるアームと、前記アームの先端にボールジョイントを介して取り付けられ、携帯機器を保持する保持部と、を備え、前記アームが前記保持部の近傍に設けられる屈曲部を有し、前記屈曲部の当接によって前記ボールジョイントの回動が規制される。
【０００７】
（２）本発明の携帯機器用ホルダは、（１）の構成において、前記屈曲部が前記仕切りボード側に凸となり前記仕切りボードと反対側に凹となるように屈曲されていることを特徴とする。
（３）本発明の携帯機器用ホルダは、（１）又は（２）の構成において、前記仕切りボードに隣接して前記台間サンドに載置される載置物を備え、前記アームが、前記屈曲部によって前記載置物との干渉が回避されるように配置されることを特徴とする。
（４）本発明の携帯機器用ホルダは、（１）から（３）のいずれか１の構成において、前記アームが、その先端側に向かうにつれ下方に屈曲されていることを特徴とする。
【発明の効果】
【０００８】
このように構成した携帯機器用ホルダによれば、簡単な構成にも拘わらず、狭いスペース内に隣接部材と干渉することなく配置でき、観察者に対して広い角度範囲で方向を変化できるようになる。
【図面の簡単な説明】
【０００９】
【図１】本発明の携帯機器用ホルダが取り付けられる支持台の一例である台間サンドを示す構成図である。
【図２】本発明の携帯機器用ホルダの全体を示す斜視図である。
【図３】本発明の形態機器用ホルダのアームの構成図で、（ａ）は上面図、（ｂ）は正面図、（ｃ）は背面図、（ｄ）は先端側側面図、（ｅ）は軸体側側面図である。
【図４】本発明の携帯機器用ホルダの固定部に対するアームの軸支部分を示した側面図であり、（ａ）はアームがほぼ垂直に配置されている場合を示し、（ｂ）はアームがほぼ水平に配置されている場合を示している。
【図５】（ａ）、（ｂ）は、台間サンドに取り付けた飲物等載置ユニットから引き出された飲物等載置台に飲物を載置した場合の携帯機器用ホルダの保持部の配置状態を示した図である。
【図６】（ａ）、（ｂ）、（ｃ）は、携帯機器用ホルダ２０を上面から観た図で、保持部の回動の状態を示した図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
図1は、本発明の携帯機器用ホルダが取り付けられる支持台の一例である台間サンドを示す構成図である。図中ｙ方向が台間サンドの前方となっている。台間サンドはパチンコ台等の遊技機間に配置されて用いられ、その詳細は、たとえば特開２０１３−１７６５５４号公報等に開示がなされている。
【００１２】
図１において、台間サンド１０は薄型の箱状の枠体１１を備え、この枠体１１には仕切りボード１２、情報案内ユニット１３、及び飲物等載置ユニット１４等が収納されている。遊技者は、該枠体１１の前方面の開口から該仕切りボード１２、情報案内板（図示せず）、及び飲物等載置台（図５において符号１４Ａで示す）等を必要に応じて引き出すことができ、それらを遊技の際に利用することができるようになっている。ここで、仕切りボード１２は、隣の遊技者から隔絶された空間を形成でき、煙草の煙の侵入を阻止できるようになっている。そして、枠体１１の前方面の前記仕切りボード１２、情報案内板、及び飲物等載置台１４Ａ等が引き出される部分を除く領域に携帯機器用ホルダ２０が取り付けられるようになっている。携帯機器用ホルダ２０は、その保持部２１にたとえばスマートフォン等の携帯機器（図示せず）を保持でき、遊技者（観察者）にとって携帯機器を見易くできるように、保持部２１の位置、方向を変化させることができるようになっている。
【００１３】
図２は、携帯機器用ホルダ２０の全体の構成を示す拡大図である。図２において、携帯機器用ホルダ２０は台間サンド１０に固定される固定部２２を有している。固定部２２の台間サンド１０に対する固定はネジあるいは接着剤等によってなされている。そして、固定部２２にはアーム２３が軸体２２Ａを介して揺動可能に軸支されている。アーム２３は水平に配置された軸体２２Ａの回りに垂直面（図中ｙｚ面）内で揺動されるようになっている。アーム２３の先端はボールジョイント３０を介して保持部２１に取り付けられている。ボールジョイント３０は、アーム２３の先端に形成されたボール２３Ａと、保持部２１に形成され前記ボール２３Ａと球面接触されるソケット２１Ａによって構成されている。
【００１４】
ここで、アーム２３は保持部２１の近傍において屈曲部Ｂを有し、この屈曲部Ｂは水平面（図中ｘｙ面）内において仕切りボード１２（図１参照）側に凸となり、その反対側に凹となるように屈曲されている。屈曲部Ｂがボールジョイント３０の周辺のソケット２１Ａの側壁に当接することによってボールジョイント３０の回動が規制され、保持部２１の位置規制ができるようになっている。ボールジョイント３０の回動が規制されている状態において仕切りボード１２を収納位置から引き出すことができる。
【００１５】
アーム２３は、その固定部２２から屈曲部Ｂまでのアーム本体２３Ｐに対して屈曲部Ｂからアーム先端までの屈曲先端部２３Ｑが角度θで屈曲されている。この屈曲部Ｂの他の機能については後述する。保持部２１は、たとえばスマートフォン等の形態機器（図示せず）を搭載できるようになっている。保持部２１は、その正面において携帯機器の背面を当接させた状態で、該携帯機器の載置部２１Ｂ、及び携帯機器の横方向のずれを防止するずれ防止部２１Ｃが設けられている。
【００１６】
ここで、図３（ａ）ないし（ｅ）は、携帯機器用ホルダ２０のアーム２３の構成を示す図である。図３（ａ）は上面図、図３（ｂ）は正面図、図３（ｃ）は背面図、図３（ｄ）は先端側側面図、図３（ｅ）は軸体側側面図である。図３（ａ）ないし（ｅ）に示すように、アーム２３の軸体側には軸体２２Ａ（図２参照）が挿入される軸孔２２Ｈが形成されている。また、アーム２３の先端側にはボールジョイント３０の一方を構成するボール２３Ａが形成されている。また、上述したように、アーム２３は先端側の近傍においてほぼ水平面内で屈曲する屈曲部Ｂを有し、屈曲部Ｂは、その固定部２２（図２参照）側から屈曲部Ｂまでのアーム本体２３Ｐに対して屈曲部Ｂからアーム先端までの屈曲先端部２３Ｑが角度θ（０°＜θ＜９０°）で屈曲されている。なお、アーム２３は、その軽量化を図るため、正面および背面に複数の凹部２３Ｃが形成されている。
【００１７】
図４（ａ）、（ｂ）は、固定部２２のアーム２３を軸支する部分を示した側面図である。図４（ａ）はアーム２３がほぼ垂直（保持部２１を上方にして）に配置されている場合を示し、図４（ｂ）はアーム２３がほぼ水平に配置されている場合を示している。図４（ａ）、（ｂ）に示すように、アーム２３は、軸体２２Ａの回りにおいて、軸体２２Ａとほぼ同心の円弧面からなる側面２３Ｓを有し、軸体２２Ａの近傍の固定部２２には、アーム２３の前記側面２３Ｓに接触する板バネ４０が取り付けられている。
【００１８】
板バネ４０は、一端において固定部２２に固定され、他端において板バネ４０の弾性によってアーム２３の側面２３Ｓとの接触部を押圧するようになっている。板バネ４０のアーム２３の側面２３Ｓとの接触部はアーム２３側に突出する円弧状の凸部４０Ａを有するようになっている。そして、アーム２３の軸体２２Ａの回りの側面２３Ｓには、アーム２３がほぼ垂直に配置されている場合において（図４（ａ）参照）、板バネ４０の凸部４０Ａが嵌る第１凹部２３Ｍが形成され、アーム２３がほぼ水平に配置されている場合において（図４（ｂ）参照）、板バネ４０の凸部４０Ａが嵌る第２凹部２３Ｎが形成されている。これにより、固定部２２は、アーム２３の揺動の過程において２か所に定位置を保持するたとえば板バネ４０からなるロック機構を備えることができる。なお、アーム２３の揺動における定位置の保持は必ずしも２か所に限定されることはなく、それ以上であってもよい。要は、アーム２３の揺動における定位置の保持できる個所は少なくとも２か所あればよい。
【００１９】
固定部２２に上述したアーム２３のロック機構を設けることにより、次に示すような効果を奏するようになる。図５（ａ）は、台間サンド１０に取り付けた飲物等載置ユニット１４から飲物等載置台１４Ａを前方（図中ｙ方向）に引き出し、該飲物等載置台１４Ａに飲物５０等からなる載置物を載置した場合を示している。この載置物は仕切りボード１２に隣接して台間サンド１０に支持されるようになる。この場合、台間サンド１０の飲物等載置ユニット１４のすぐ上方に固定された携帯機器用ホルダ２０は飲物５０と干渉することなく、予めアーム２３をほぼ垂直に揺動させ、その位置をロック機構によって保持させることができるようになっている。アーム２３の先端に取り付けられた保持部２１は飲物５０の上方に位置づけられ、該保持部２１に搭載された携帯機器（図示せず）を観察することができるようになる。
【００２０】
なお、台間サンド１０から飲物等載置台１４Ａを引き出していない場合には、携帯機器用ホルダ２０のアーム２３をほぼ水平に配置させることができる。携帯機器用ホルダ２０のアーム２３および保持部２１が飲物等載置台１４Ａに搭載された飲物５０に干渉する憂いがないからである。しかし、図５（ｂ）に示すように、たとえ台間サンド１０から飲物等載置台１４Ａが引き出されている場合においても、アーム２３は上述のように保持部２１の近傍に屈曲部Ｂが形成されているため、該屈曲部Ｂによって、アーム２３と飲物５０との干渉が回避されアーム２３の先端の保持部２１を該飲物５０の前方に配置させることができ、その位置をロック機構によって保持できるようになっている。これにより、遊技者は、保持部２１の背後に配置される飲物５０の取り出しに不都合を感じることなく、保持部２１に搭載された携帯機器を観察できるようになる。
【００２１】
ここで、アーム２３において保持部２１の近傍に屈曲部Ｂが形成されていることにより、保持部２１を仕切りボード１２に干渉されることなく、遊技者側へ広い角度範囲で変化させることができる。図６（ａ）、（ｂ）、（ｃ）は、携帯機器用ホルダ２０を上面から観た図である。まず、図６（ａ）に示すように、保持部２１はアーム２３の屈曲先端部２３Ｑの延長線に対して仕切りボード１２側へ最大変位角度（＋ε）で回動がなされている。この場合、保持部２１は仕切りボード１２へ干渉することなく、アーム本体２３Ｐの延長線に対して遊技者側へ角度αで回動がなされていることになる。
【００２２】
次に、図６（ｂ）に示すように、保持部２１を遊技者側へ角度（−ε）で回動させることにより、保持部２１はアーム本体２３Ｐの延長線に対して角度β（＞α）で回動がなされることになる。この場合の角度βはアーム本体２３Ｐに対する屈曲先端部２３Ｑの屈曲角度θと等しくなっている。そして、図６（ｃ）に示すように、保持部２１を遊技者側へさらに角度（−ε）で回動させることにより、保持部２１はアーム本体２３Ｐの延長線に対して角度γ（＞β）で回動がなされることになる。これにより、保持部２１は屈曲部Ｂの凸側への回動方向において屈曲部Ｂの凹側への回動方向よりも小さな回動量を有するように構成できる。したがって、携帯機器用ホルダ２０は、隣接して配置される仕切りボード１２に干渉することなく、遊技者側へ広い角度の範囲（２ε）で方向を変化させることができる。
【００２３】
なお、携帯機器用ホルダ２０のアーム２３は、図３（ｂ）、（ｃ）、（ｄ）、（ｅ）に示すように、先端側（ボール２３Ａが形成されている側）に向かうにつれ下方に屈曲されるようになっている。これにより、パチンコ台の扉を開いたときに該扉がアーム２３の先端に取り付けられた保持部２１に干渉するのを防止している。
【００２４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２５】
１０  台間サンド
１１  枠体
１２  仕切りボード
１３  情報案内ユニット
１４  飲物等載置ユニット
２０  携帯機器用ホルダ
２１  保持部
２１Ａ  ソケット（ボールジョイントの）
２１Ｂ  載置部
２１Ｃ  ずれ防止部
２２  固定部
２２Ａ  軸体
２３  アーム
２３Ｓ  側面
２３Ａ  ボール（ボールジョイントの）
２３Ｍ  第１凹部
２３Ｎ  第２凹部
３０  ボールジョイント
４０  板バネ
４０Ａ  凸部
Ｂ  屈曲部
【図１】
0006409215.tif 000002
【図２】
0006409215.tif 000003
【図３】
0006409215.tif 000004
【図４】
0006409215.tif 000005
【図５】
0006409215.tif 000006
【図６】
0006409215.tif 000007